(57)【要約】【課題】  光ディスクを載置するトレイ体が装置本体に対してスライドして突出と収納の位置を取って光ディスクからデータを再生する又は／及び光ディスクにデータを記録する光ディスクの再生・記録装置に於いて、前記トレイ体を装置本体から突出させた際に自重によって前記トレイ体が前方下方に傾かず、前記トレイ体のスライドに抗力（押圧力）が長いスライド分作用することがなく、製造が簡便で、そのスライドの際にガタツキが生じないことを目的とする。【解決手段】  トレイ体４の両側壁にガイド体９，１０を設け、トレイ体４が装置本体側であるフレーム体８に対して突出の位置を取った際に、トレイ体４の重力に抗す上向きに作用する力が生じるように、共働してテコの力点となる弾性リブ１３，１４をフレーム体８に押圧部１５，１６をトレイ体４にそれぞれ設け、テコの支点となる係合片１１，１２フレーム体８に設けた。【選択図】  図２
2008276846.tif 000002
【特許請求の範囲】
【請求項１】
光ディスクを載置するトレイ体と、そのトレイ体がスライドすることで突出の位置と収納の位置を取り得る装置本体と、その装置本体の内部に配設されて、前記トレイ体に載置の光ディスクからデータを再生する又は／及び光ディスクにデータを記録する光ディスクの再生・記録装置であって、
前記トレイ体のスライド方向の側部において、前記トレイ体と前記装置本体の側のいずれか一方に、前記スライド方向に伸びるガイド体が、他方に、そのガイド体と係合共働して前記装置本体に対して前記トレイ体を前記スライド方向にガイドするための係合片と弾性リブがそれぞれ設けられ、
前記ガイド体が前記トレイ体に設けられている場合には、前記係合片は前記ガイド体に対して上方で且つ前記スライドの方向において後方に、前記弾性リブは前記ガイド体に対して下方で且つ前記スライドの方向において前方にそれぞれ配設され、又は、前記係合片はガイド体に対して下方で且つ前記スライドの方向において前方に、前記弾性リブは前記ガイド体に対して上方で且つ前記スライドの方向において後方にそれぞれ配設され、
前記ガイド体が前記装置本体の側に設けられている場合には、前記係合片は前記ガイド体に対して上方で且つ前記スライドの方向において前方に、前記弾性リブは前記ガイド体に対して下方で且つ前記スライドの方向において後方にそれぞれ配設され、又は、前記係合片はガイド体に対して下方で且つ前記スライドの方向において後方に、前記弾性リブは前記ガイド体に対して上方で且つ前記スライドの方向において前方にそれぞれ配設され、
更に、前記トレイ体をスライドさせて前記装置本体に対して突出の位置を取らせた際に、前記係合片が前記ガイド体に上下方向に一定位置を取らせてテコの支点とさせ、前記弾性リブと押圧係合して上下方向の付勢力を前記ガイド体に与えてテコの力点を構成させる押圧部が前記スライド体に備えて構成された光ディスクの再生・記録装置。
【請求項２】
前記弾性リブの前記トレイ体の前記スライド方向を含む縦断面の形状が、弾性突出方向に凸曲線若しくは立ち上がり角度の小さい緩やかな斜面に、前記押圧部の前記トレイ体の前記スライド方向を含む縦断面の形状が、押圧出方向に凸曲線若しくは立ち上がり角度の小さい緩やかな斜面に、それぞれ形成されてなる請求項１に記載の光ディスクの再生・記録装置。
【発明の詳細な説明】
【技術分野】
【０００１】
この発明は、例えばＣＤプレーヤやＤＶＤ記録装置のように、装置本体に対して突出と収納の位置を取るトレー体に円板状の記録媒体である光ディスクを載置し、装置本体内においてその光ディスクを再生又は／及びその光ディスクに記録を行う光ディスクの再生・記録装置に関する。
特に、トレー体がスライドして装置本体に対して突出の位置を取った際に、トレー体は装置本体に対して支持された状態でスライドするが、このトレー体を装置本体に支持させる構造の改良に関する。
【背景技術】
【０００２】
トレー体が装置本体に対して突出と収納の位置を取る構成の光ディスクの再生・記録装置において、トレー体は、装置本体から突出の位置を取らせるとトレー体の突出部分において支持の力を受けることがないから、自重によって装置本体に対して前方下方に傾くことになる。
このトレー体が装置本体に対して前方下方に傾くことを防ぐものとして、以下に示す文献が知られている。
【０００３】
【特許文献１】特開２００７−１２１６１号公報
【発明の開示】
【発明が解決しようとする課題】
【０００４】
特開２００７−１２１６１号公報で開示されている発明は、トレイが搬出された場合にトレイの自重によって下方へ傾くことを回避することを目的として、移動側であるトレイ１５のレール部３０をガイドするガイドリブ１８を固定側であるフレーム１６の側壁に突出して設け、且つ、フレーム１６の前部にフレーム１６の底部３６から立ち前がって上端からトレイの方向に伸びる当接部４１を有する押えリブ１９を設け、更に、トレイ１５のスライド方向の両側部に設けたレール部３０の高水平レール部３３を押えリブ１９によって押圧力を付勢する構成となっている。
斯かる構成の特開２００７−１２１６１号公報で開示されている発明は、押えリブ１９によってトレイ１５の後部を両側部から押圧するので、トレイ１５が支持されることになり、よって、トレイ１５の前部が自重によって下方へ傾くことが軽減されている。
【０００５】
しかし、特開２００７−１２１６１号公報で開示されている発明は、トレイ１５が装置本体に対して突出と収納の位置を取るためにスライドをすると、そのスライドをしている間の分だけトレイ１５に押えリブ１９から必要以上の大きな押圧力を受けることになり、トレイ１５がスライドに対して不必要な抗力を受けることでエネルギーの損失するという問題がある。
又、同発明は、トレイ１５の側面に複数のレール部３１，３２，３３を設け、フレーム１６にガイドレール３８を備えており、構成部材の製作に高い精度が要求される構成になっていて、結果的に製造が煩雑であるという問題がある。
【０００６】
更に、同発明では、押えリブ１９がレール部３０の高水平レール部３３に係合する際及び係合が解除際に、ガタツキが発生という問題がある。
この発明は、上記の事情に鑑みてなされたものであり、記録媒体である光ディスクを載置するトレイ体が装置本体に対して突出の位置と収納の位置を取る光ディスクの再生・記録装置において、前記装置本体に対して前記トレイ体が収納の位置からスライドして突出の位置を取る際に、トレイ体の前部が自重によって装置本体に対して下方へ傾くことがなく、しかも、前記スライド時にそのスライドに抗力（押圧力）が長いスライド距離の分作用することがなく、製造が簡便で、そのスライドの際にガタツキが発生するということのない光ディスクの再生・記録装置を提供するものである。
【課題を解決するための手段】
【０００７】
この発明は、トレイ体を装置本体に対してスライドさせて突出の位置を取らせた際に、前記装置本体に対して前記トレイ体に前記スライドの方向の姿勢を取らせ得るための弾性リブを前記トレイ体と前記装置本体のいずれか一方に、他方に前記弾性リブと押圧係合し得る押圧部をそれぞれ備え、且つ、前記弾性リブと前記押圧部をテコの力点とし、且つ、前記弾性リブの配設の側にテコの支点を構成する係合片を備えることによって、前記トレイ体の前記弾性リブよりも前方部分の重力に抗する力が作用するように構成した光ディスクの再生・記録装置である。
その詳細な構成は光ディスクを載置するトレイ体と、そのトレイ体がスライドすることで突出の位置と収納の位置を取り得る装置本体と、その装置本体の内部に配設されて、前記トレイ体に載置の光ディスクからデータを再生する又は／及び光ディスクにデータを記録する光ディスクの再生・記録装置であって、
前記トレイ体のスライド方向の側部において、前記トレイ体と前記装置本体の側のいずれか一方に、前記スライド方向に伸びるガイド体が、他方に、そのガイド体と係合共働して前記装置本体に対して前記トレイ体を前記スライド方向にガイドするための係合片と弾性リブがそれぞれ設けられ、
前記ガイド体が前記トレイ体に設けられている場合には、前記係合片は前記ガイド体に対して上方で且つ前記スライドの方向において後方に、前記弾性リブは前記ガイド体に対して下方で且つ前記スライドの方向において前方にそれぞれ配設され、又は、前記係合片はガイド体に対して下方で且つ前記スライドの方向において前方に、前記弾性リブは前記ガイド体に対して上方で且つ前記スライドの方向において後方にそれぞれ配設され、
前記ガイド体が前記装置本体の側に設けられている場合には、前記係合片は前記ガイド体に対して上方で且つ前記スライドの方向において前方に、前記弾性リブは前記ガイド体に対して下方で且つ前記スライドの方向において後方にそれぞれ配設され、又は、前記係合片はガイド体に対して下方で且つ前記スライドの方向において後方に、前記弾性リブは前記ガイド体に対して上方で且つ前記スライドの方向において前方にそれぞれ配設され、
更に、前記トレイ体をスライドさせて前記装置本体に対して突出の位置を取らせた際に、前記係合片が前記ガイド体に上下方向に一定位置を取らせてテコの支点とさせ、前記弾性リブと押圧係合して上下方向の付勢力を前記ガイド体に与えてテコの力点を構成させる押圧部が前記スライド体に備えて構成された光ディスクの再生・記録装置である。
【０００８】
斯かる構成の光ディスクの再生・記録装置は、前記トレイ体が前記装置本体に対して突出の位置を取った際に、前記弾性リブと前記押圧部が押圧係合し支点として機能し、且つ、力点として機能する前記係合片がガイド体から上下方向の力を受けるので、前記弾性リブより突出の方向前部に位置する前記トレイ体の部分は自重に抗する力を受ける。
尚、前記弾性リブ及び前記押圧部の係合面は弾性突出方向に凸曲線若しくは立ち上がり角度の小さい緩やかな斜面に形成することによって、前記弾性リブと前記押圧部が係合する際、つまり、前記トレイ体を前記装置本体に対してスライドさせて突出の位置を取らせる際に、滑らかにスライドして前記突出の位置を取る。
【発明の効果】
【０００９】
この発明は、装置本体とトレイ体の間に、前記トレイ体が前記装置本体に対してスライドして突出の位置を取る際に、支点となる弾性リブ及び押圧部と、前記トレイ体の突出方向の後部において力点となる係合片を備えて構成したことから、前記トレイ体が前記装置本体に対して突出の位置を取る際に、前記トレイ体の前記弾性リブ及び前記押圧部より前記スライド突出方向の前部分は作用点となって自重に抗して上方向の力を受けるので、前記トレイ体が前記装置本体に対して突出の位置を取っても、前記トレイ体の自重によって下方へ傾くことが回避され、且つ、前記トレイ体のスライドにおいては前記弾性リブと前記押圧部が係合している時にのみ前記スライドに大きな抗力が加わり、更に、各部材の製作が簡単なことから製造が簡便で、加えて、前記弾性リブと前記押圧部の係合及び係合解除を滑らかに行わせることによって前記トレイ体のスライドにガタツキに生じさせることのない光ディスクの再生・記録装置である。
【発明を実施するための最良の形態】
【００１０】
この発明を、以下において、図面と共に発明を実施するための最良の形態に基づき詳述する。しかし、この実施の形態によって、この発明が限定されるものではない。
光ディスクの再生・記録装置１は、図に示すように、装置本体であって開口部２を有するケーシング３と、トレイ体４が備えられ、トレイ体４をケーシング３に対して矢印Ｃ及びＤ方向にスライドするスライド手段５と、トレイ体４に載置された光ディスク（図示省略）のデータの再生及び光ディスクにデータの記録を行う再生・記録手段６が備えられている。
【００１１】
ケーシング３のフロント面７には、この装置を機能させるための操作スイッチ、現状の機能状態等を表示する液晶表示部、操作用のリモコン信号を受ける受信部（以上、図示省略）が配設されている。
スライド手段５は、ケーシング３の所定位置に配設され、トレイ体４を矢印Ｃ及びＤ方向にスライドされてそれぞれ、トレイ体４にケーシング３に対して突出の位置及び収納の位置を取らせるものである。
【００１２】
スライド手段５は、ほぼボックス形状のフレーム体８と、フレーム体８の側に保持されてトレイ体４にスライド用の駆動力を出力する出力モータ、この出力モータに付設されているピニオンギァ及びこのピニオンギァと噛合するラック歯車（以上、図示省略）と、トレイ体４のスライド方向つまり矢印Ｃ及びＤ方向に伸びるようにトレイ体４の両側壁に配設されたガイド体９，１０と、フレーム体８であってガイド体９，１０と対向する位置に配設され、ガイド体９，１０と係合共働してトレイ体４をガイド体９，１０の伸長方向にスライドさせる係合片１１，１２及び弾性リブ１３，１４を備えて構成されている。
尚、フレーム体８は、ケーシング３に一体化されている。
【００１３】
ここで、係合片１１，１２はそれぞれガイド体９，１０に対して上方で且つ前記スライドの方向において後方に、且つ、弾性リブ１３，１４はそれぞれガイド体９，１０に対して下方で且つ前記スライドの方向において前方にそれぞれ配設されている。
尚、弾性リブ１３，１４は、フレーム体８の底面から弾性的に上方に突起した状態で配設されており、トレイ体４のスライド方向で縦断面を取った場合、弾性突出方向に凸曲線に形成されている。
【００１４】
更に、トレイ体４をスライドさせてケーシング３に対してつまりフレーム体８に対して突出の位置を取らせた際に、係合片１１，１２がガイド体４に上下方向の位置をほぼ一定に保つテコの支点となり、弾性リブ１３，１４と押圧係合してテコの力点を構成する押圧部１５，１６がスライド体４に備えられている。
押圧部１５，１６は、トレイ体４のスライド方向で縦断面を取った場合、立ち上がり角度の小さい緩やかな斜面に形成されている。
【００１５】
光ディスクの再生・記録装置１の全体及び要部は、上述したように構成されている。以下において、トレイ体４のスライドを説明する。
まず、初期の状態において、トレイ体４はケーシング３に対して収納の位置を取っている。この時、トレイ体４又はガイド体９とフレーム体８の位置関係は、図３及び図５に示す通りである。
【００１６】
ここで、ユーザーはケーシング３のフロント面７の前記操作部を操作してスライド手段５を出力させると、前記出力モータが回転出力して前記ピニオンギァが回転駆動され、この前記ピニオンギァと噛合し、且つ、トレイ体４に付設されているする前記ラック歯車が直線方向に駆動され、結果的に、トレイ体４はフレーム体８に対して矢印Ｃ方向にスライドを開始する。
このトレイ体４がスライドする際、ガイド体９は係合片１１、弾性リブ１３及びフレーム体８の側部内側壁（図示省略）によって、ガイド体１０は係合片１２と弾性リブ１４及びフレーム体８の側部内側壁（図示省略）によってそれぞれ、矢印Ｃ方向へのスライドがガイドされる。
【００１７】
トレイ体４が矢印Ｃ方向にスライドしてフレーム体８に対して突出の位置を取り、最突出の位置を取り出すと、弾性リブ１３にガイド体９の底面に設けた押圧部１５が係合を始める。
この時、トレイ体４の矢印Ｃ方向のスライドに伴って、押圧部１５が弾性リブ１３からの押し上げる力によって上方向に移動しようとすると、つまり、押圧部１５と一体であるトレイ体４が上方向に移動しようとすると、ガイド体９はその後端側において係合片１１が上方向への移動を規制する。
【００１８】
従って、弾性リブ１３と押圧部１５との係合する部位をテコの力点として上方向の付勢力を与え、且つ、係合片１１がテコの支点となってガイド体９に上下方向に一定の位置を保たせて、押圧部１５より前方に位置するトレイ体４の部分はその重力に対して抗力を受けて、上方向の力を受けることになる。
よって、押圧部１５より前方に位置するトレイ体４の部分は、フレーム体８に対して突出の位置を取ってもその自重によってトレイ体４の突出方向に対して下方に傾くということがないから、トレイ体４はケーシング３に対してもトレイ体４の突出方向に対して下方に傾くという事態は生じない。
【００１９】
又、係合片１１は、板状であってトレイ体４のスライド方向の姿勢で配設されているので、ガイド体９が弾性リブ１３から上向きの付勢力を受けても、ガイド体９と係合してガイド体９にトレイ体４のスライド方向の姿勢を取るように機能する。
弾性リブ１３は、ガイド体９が係合片１１によって上下方向の移動で相対的に規制される範囲を保つように、押圧部１５が更に矢印Ｃ方向にスライドすると、押圧部１５に押圧されて下方に弾性変形する。
【００２０】
他方、トレイ体４が矢印Ｃ方向にスライドしてフレーム体８に対して突出の位置を取り、最突出の位置を取り始出し、弾性リブ１３にガイド体９の底面に設けた押圧部１５が係合を始めると、ガイド体１０，弾性リブ１４及び押圧部１６も同様に機能する。
つまり、トレイ体４の矢印Ｃ方向のスライドに伴って、押圧部１６が弾性リブ１４からの押し上げる力によって上方向に移動しようとするが、ガイド体９はその後端側において係合片１２が上方向への移動を規制する。
【００２１】
ここで、弾性リブ１４と押圧部１６との係合する部位をテコの力点として上方向の付勢力をガイド体１０与え、且つ、係合片１２がテコの支点となってガイド体１０に上下方向に一定の位置を取らせ、押圧部１６より前方に位置するトレイ体４の部分はその重力に対して抗力を受けて、上方向の力を受ける。
従って、押圧部１６より前方に位置するトレイ体４の部分は、フレーム体８に対して突出の位置を取ってもその自重によってトレイ体４の突出方向に対して下方に傾かず、結果的に、トレイ体４はケーシング３に対してもトレイ体４の突出方向に対して下方に傾くという事態は生じない。
【００２２】
又、係合片１２は、板状であってトレイ体４のスライド方向の姿勢で配設され、ガイド体１０が弾性リブ１４から上向きの付勢力を受けると、ガイド体１０と係合してガイド体１０にトレイ体４のスライド方向の姿勢を取るように機能する。
弾性リブ１４は、ガイド体１０が係合片１２によって上下方向の移動で相対的に規制される範囲を保つように、押圧部１６が更に矢印Ｃ方向にスライドすると、押圧部１６に押圧されて下方に弾性変形する。
【００２３】
上述したように、トレイ体４はケーシング３の側であるフレーム体８からスライドして突出の位置を取った際に、トレイ体４と一体化されているガイド体９，１０がそれぞれ弾性リブ１３，１４と押圧部１５，１６の係合部位をテコの力点として機能し、係合片１１，１２がテコの支点として機能し、作用点側に対応する弾性リブ１３，１４と押圧部１５，１６の係合部位よりも前方に位置するトレイ体４の部分に上方向の力を与えるので、トレイ体４はその突出方向に対して下方に傾くということはない。
尚、係合片１１，１２の姿勢がそれぞれスライド体９，１０の姿勢をスライド方向に規制するので、トレイ体４がそのスライド方向（突出方向）に対して上方に傾くという事態も生じない。
尚、この時、トレイ体４又はガイド体９とフレーム体８の位置関係は、図４及び図６に示す通りである。
【００２４】
トレイ体４を矢印Ｃ方向にスライドする際に、弾性リブ１３，１４がそれぞれ押圧部１５，１６に係合する際に大きな付加（抗力）が加わるが、弾性リブ１３，１４とそれぞれ押圧部１５，１６が係合する距離分だけ大きな付加が加わるだけであって、大きな付加が加わるスライド距離は比較的に短く済んでいる。
又、トレイ体４がフレーム体８から突出して際に前方下方に傾かないための構成は、上述したように、スライド体９，１０、係合片１１，１２、弾性リブ１３，１４、及びスライド体９，１０と一体化された押圧部１５，１６から構成されていて、各部材の製作は簡便であって且つフレーム体８へのトレイ体４の組み込み等の組み立ても簡単に済ますことが可能で、結果的に製造が容易になっている。
【００２５】
更に、弾性リブ１３，１４及び押圧部１５，１６はそれぞれ上述した形状で形成されているので、弾性リブ１３，１４と押圧部１５，１６の係合は衝撃が殆どなく、ガタツキがなくすムースな状態で行われる。
ユーザーは、トレイ体４に所望する光ディスクを載置し、フロント面７の操作スイッチによって、スライド手段５を出力させてトレイ体４をケーシング３に収納の位置を取らせるように操作を行う。
【００２６】
トレイ体４は、スライド手段５から矢印Ｄ方向方向の駆動力を受けてフレーム体８に対して矢印Ｄ方向にスライドを始めると、押圧部１５，１６はそれぞれ弾性リブ１３，１４との押圧係合を解くことになるが、トレイ体４フレーム体８に収納され、つまり、ケーシング３に収納され、弾性リブ１３，１４より前方に位置する部分の自重も小さくなるので、斜め下方に傾くということがなく、見栄えは保たれている。
光ディスクの再生・記録装置１では、係合片１１，１２はそれぞれガイド体９，１０の上面と係合するように構成されているが、トレイ体４の側部上面と係合する構成であってもよい。
【００２７】
光ディスクの再生・記録装置１では、係合片１１，１２はガイド体９，１０に対して上方であって且つトレイ体４のスライドの方向において後方に、且つ、弾性リブ１３，１５はガイド体９，１０に対して下方で且つトレイ体４のスライドの方向において前方にそれぞれ配設されているが、係合片１１，１２がガイド体９，１０に対して下方で且つトレイ体４のスライドの方向において前方に、弾性リブ１３，１４はガイド体９，１０に対して上方で且つトレイ体４のスライドの方向において後方にそれぞれ配設された構成であってもよい。
斯かる構成では、テコで例えると、トレイ体４の前部から後部に向かって、作用点、支点、力点が並ぶ構成になっている。
【００２８】
他方、ガイド体９，１０を装置本体側であるフレーム体８に備えた構成では、係合片１１，１２及び弾性リブ１３，１４はトレイ体４に設けられるが、係合片１１，１２がガイド体９，１０に対して上方で且つトレイ体４のスライドの方向において前方に、弾性リブ１３，１４がガイド体９，１０に対して下方で且つトレイ体４のスライド方向において後方にそれぞれ配設される構成、及び、係合片１１，１２がガイド体９，１０に対して下方で且つトレイ体４のスライドの方向において後方に、弾性リブ１３，１４がガイド体９，１０に対して上方で且つトレイ体４のスライド方向において前方にそれぞれ配設される構成が挙げられる。
【００２９】
これら二つの構成において、テコで例えると、係合片１１，１２はガイド体９，１０に上下方向の位置をほぼ一定に保つようにテコの支点として機能し、弾性リブ１３，１４と押圧部１５，１６との係合部位はガイド体９，１０に上下方向の付勢力を与えるようにテコの力点として機能する。
ここで、テコの作用点に対応するガイド体９，１０の前部分は、弾性リブ１３，１４から下向きの力を受けるから、ガイド体９，１０が配設されているフレーム体８の前部が下向きの力を受けるので、相対的に、トレイ体４の前部は自重に抗する上向きの力を受けることになる。
【００３０】
光ディスクの再生・記録装置１では、弾性リブ１３，１４は弾性突出方向に凸曲線の形状に形成されているが、立ち上がり角度の小さい緩やかな斜面であってもよい。又、押圧部１５，１６は立ち上がり角度の小さい緩やかな斜面に形成されているが、押圧方向に凸曲線形状であってもよい。
【図面の簡単な説明】
【００３１】
【図１】この発明を実施するための最良の形態の全体構成を説明する斜視図である。
【図２】図１に示す実施するための最良の形態において、要部の構成を説明する一部切欠きを含む分解斜視図である。
【図３】図２に示す要部において、トレイ体がフレーム体に収納された状態を示す斜視図である。
【図４】図２に示す要部において、トレイ体がフレーム体から突出した状態を示す斜視図である。
【図５】図３において、一部省略を含むＡ−Ａ断面図である。
【図６】図４において、一部省略を含むＢ−Ｂ断面図である。
【符号の説明】
【００３２】
１：          光ディスクの再生・記録装置
２：          開口
３：          ケーシング（装置本体）
４：          トレイ体    
８：          フレーム体
９，１０：    ガイド体
１１，１２：  係合片
１３，１４：  弾性リブ
１５，１６：  押圧部
【図１】
2008276846.tif 000003
【図２】
2008276846.tif 000004
【図３】
2008276846.tif 000005
【図４】
2008276846.tif 000006
【図５】
2008276846.tif 000007
【図６】
2008276846.tif 000008